(57)【特許請求の範囲】
【請求項１】
少なくとも筐体と固体撮像素子駆動用回路基板と固体撮像素子とレンズで構成される固体撮像装置において、筐体の一端にはレンズが固定され、レンズと対向する他端には固体撮像素子と該固体撮像素子を搭載した固体撮像素子駆動用回路基板の一部を位置決め収納する凹部を具備し、前記凹部の底面部と前記固体撮像素子駆動用回路基板の上面、及び、前記凹部の内壁部と前記固体撮像素子駆動用回路基板の側面により位置決めを行うことを特徴とする固体撮像装置。
【請求項２】
固体撮像素子駆動用回路基板と固体撮像素子と筐体を同時に接着することを特徴とする請求項１記載の固体撮像装置。
【請求項３】
少なくとも筐体と固体撮像素子駆動用回路基板と固体撮像素子とレンズで構成される固体撮像装置であって、筐体の一端にはレンズが固定され、レンズと対向する他端には固体撮像素子が搭載される固体撮像素子駆動用回路基板の一部を位置決め収納する凹部を具備する固体撮像装置の製造方法において、少なくとも前記凹部に固体撮像素子駆動用回路基板を収納する工程と、固体撮像素子駆動用回路基板に接着剤を塗布する工程と、接着剤を塗布した固体撮像素子駆動用回路基板上に固体撮像素子を搭載する工程と、固体撮像素子を固体撮像素子駆動用回路基板に押圧しながら加熱する工程を有することを特徴とする固体撮像装置の製造方法。
【発明の詳細な説明】
【０００１】
【発明の属する技術分野】
本発明は固体撮像装置及びその製造方法に関するものである。
【０００２】
【従来の技術】
デジタルスチルカメラやデジタルビデオカメラ、携帯電話端末等に使用される固体撮像素子としてＣＣＤやＣ−ＭＯＳが多用されている。図１は従来の固体撮像装置の構成を示す下面より見た正面図であり、図２はその断面図である。正面図には筐体の底部が点線で記載してある。
【０００３】
１は固体撮像素子、２は固体撮像素子駆動用回路基板で窓２ａを設けている。固体撮像素子駆動用回路基板２の一方の面に固体撮像素子１の受光面を窓２ａに臨んで、フリップチップ方式により接着剤３を介して搭載する。カラー用固体撮像装置に必要な赤外線カットフィルター４を取り付けた筐体５を、固体撮像素子駆動用回路基板２の他方の面に接着剤６を介して固着する。筐体の底部５ａには一体成形のガイドピン７を設けている。固体撮像素子駆動用回路基板２にはガイドピン７に対応した抜き穴８を設けている。ガイドピン７を抜き穴８に挿入して固定することにより位置決めしている。
【０００４】
筐体の底部５ａと対向する上部に、レンズ９を取り付けたレンズホルダー１０をネジ機構１１等を用いて固定するか、図示していないが筐体５とレンズホルダー１０を一体に成形してレンズ９を固定して、固体撮像装置を構成している。
【０００５】
【発明が解決しようとする課題】
近年デジタルスチルカメラや携帯電話端末等はより小型で安価なものが開発されており、その一部分である固体撮像装置においても、より小型化され安価なものが要求されている。
【０００６】
従来における固体撮像装置では、固体撮像素子駆動用回路基板２の一方の面に固体撮像素子１を搭載する際、押圧しながら加熱するため（フリップチップ方式）固体撮像素子１の脇に接着剤３がはみ出すことが多い。それを避けるようにガイドピン７と抜き穴８を配置しなければならず、筐体５と固体撮像素子駆動用回路基板２を大きくする必要があった。
【０００７】
またその後の工程で筐体５を、接着剤６を介して固体撮像素子駆動用回路基板２の他方の面に固着する際、固体撮像素子駆動用回路基板２下面より押圧しながら加熱して固着させる。故に筐体の底部５ａは、固体撮像素子１と接着剤３のはみ出しから離して配置しなければならず、固体撮像素子駆動用回路基板２下面に、筐体の底部５ａと同等の押圧するスペースが必要であった。
【０００８】
これらのことにより固体撮像装置の小型化は難しいものであった。また固体撮像素子駆動用回路基板２の一方の面に固体撮像素子１を搭載する工程と、筐体５を固体撮像素子駆動用回路基板２の他方の面に固着する工程が別工程のため、取扱に注意しなければならず、製造コストも高いものとなっていた。
【０００９】
【課題を解決するための手段】
少なくとも筐体と固体撮像素子駆動用回路基板と固体撮像素子とレンズで構成される固体撮像装置において、筐体の一端にはレンズが固定され、レンズと対向する他端には固体撮像素子と固体撮像素子を搭載した固体撮像素子駆動用回路基板の一部を位置決め収納する凹部を具備し、凹部の底面部と固体撮像素子駆動用回路基板の上面、及び、凹部の内壁部と固体撮像素子駆動用回路基板の側面により、位置決めを行う固体撮像装置とする。
【００１０】
筐体の凹部の内壁部を固体撮像素子搭載位置の近くに配置し、固体撮像素子を固体撮像素子駆動用回路基板に搭載するのと同時に、固体撮像素子駆動用回路基板と筐体を接着する。
【００１１】
少なくとも筐体と固体撮像素子駆動用回路基板と固体撮像素子とレンズで構成される固体撮像装置であって、筐体の一端にはレンズが固定され、レンズと対向する他端には固体撮像素子が搭載される固体撮像素子駆動用回路基板の一部を位置決め収納する凹部を具備する固体撮像装置の製造方法において、少なくとも前記凹部に固体撮像素子駆動用回路基板を収納する工程と、固体撮像素子駆動用回路基板に接着剤を塗布する工程と、接着剤を塗布した固体撮像素子駆動用回路基板上に固体撮像素子を搭載する工程と、固体撮像素子を固体撮像素子駆動用回路基板に押圧しながら加熱する工程を有する固体撮像装置の製造方法とする。
【００１２】
【発明の実施の形態】
図３は本発明による固体撮像装置の一実施形態の下面より見た正面図であり、図４はその断面図である。図５はその斜視図である。
【００１３】
固体撮像装置の構成部品である赤外線カットフィルター１２を筐体１３に取り付ける。レンズ１８を有するレンズホルダー１９と対向する筐体１３の他端に、凹部１４を設ける。その凹部１４の底面部と固体撮像素子駆動用回路基板１５の上面、その凹部１４の内壁部と固体撮像素子駆動用回路基板１５の側面により位置決めを行い、固体撮像素子駆動用回路基板１５を筐体１３に収納する。筐体１３にガイドピンを設けずに固体撮像素子駆動用回路基板１５との位置決めを行うため、固体撮像装置の小型化が可能となる。
【００１４】
筐体１３の凹部１４に位置決め収納した固体撮像素子駆動用回路基板１５のレンズホルダー１９と対向する面に接着剤１６を塗布し、接着剤１６を塗布した固体撮像素子駆動用回路基板１５上に固体撮像素子１７を搭載し、固体撮像素子駆動用回路基板１５に固体撮像素子１７を押圧しながら加熱するのと同時に、固体撮像素子駆動用回路基板１５と凹部１４を設けた筐体１３とを接着剤１６を介して接着する。固体撮像素子駆動用回路基板１５下面に、固体撮像素子駆動用回路基板１５と筐体１３の底部とを固着するための押圧するスペースが不要となるため、固体撮像装置の小型化が可能となる。
【００１５】
また固体撮像素子駆動用回路基板１５上に固体撮像素子１７を搭載する工程と、固体撮像素子駆動用回路基板１５と筐体１３とを固着する工程を同じ工程で行うことができるため、製造コストを抑えることが可能である。
【００１６】
【発明の効果】
請求項１の発明によれば、凹部を具備した筐体に固体撮像素子駆動用回路基板を位置決め収納するので、従来の欠点であった筐体のガイドピンによる位置決めが不要となるため、固体撮像装置の小型化を図れた。
【００１７】
請求項２の発明によれば、従来の欠点であった固体撮像素子駆動用回路基板１５と筐体１３とを固着するスペースが不要となるため、固体撮像装置の小型化を図れた。
【００１８】
請求項３の発明によれば、固体撮像素子駆動用回路基板上に固体撮像素子を搭載する工程と、固体撮像素子駆動用回路基板と筐体とを固着する工程を同時に行うため、安価に製造できる。
【図面の簡単な説明】
【図１】  従来の固体撮像装置の構成を示す下面より見た正面図
【図２】  その断面図
【図３】  本発明による固体撮像装置の一実施形態の下面より見た正面図
【図４】  その断面図
【図５】  その斜視図
【符号の説明】
１    固体撮像素子
２    固体撮像素子駆動用回路基板
２ａ  窓
３    接着剤
４    赤外線カットフィルター
５    筐体
５ａ  筐体の底部
６    接着剤
７    ガイドピン
８    抜き穴
９    レンズ
１０    レンズホルダー
１１    ネジ機構
１２    赤外線カットフィルター
１３    筐体
１４    筐体の凹部
１５    固体撮像素子駆動用回路基板
１６    接着剤
１７    固体撮像素子
１８    レンズ
１９    レンズホルダー
【図１】
0003977104.tif 000002
【図２】
0003977104.tif 000003
【図３】
0003977104.tif 000004
【図４】
0003977104.tif 000005
【図５】
0003977104.tif 000006